(57)【要約】【課題】  不要なセルリセレクション動作を抑制することができる移動通信端末を提供する。【解決手段】  本発明の移動通信端末１０は、セルリセレクション動作の実施基準が満たされた場合に、セルリセレクション動作を実施するリセレクション動作制御部１２と、特定のセル間でセルリセレクション動作が繰り返し実行されていること、および異なる呼び出しエリア間を跨ぐセルリセレクション動作が繰り返し実行されていることを判定する判定部１４を備え、リセレクション動作実施部１２は、判定部１４により特定のセル間でセルリセレクション動作が繰り返し実行されていると判定された場合に、実施基準を実施基準Ａに変更し、さらに、判定部１４により異なる呼び出しエリア間を跨ぐセルリセレクション動作が繰り返し実行されていると判定された場合に、実施基準を実施基準Ｂに変更する。【選択図】  図１
2009027459.tif 000002
【特許請求の範囲】
【請求項１】
在圏セルを再選択するセルリセレクション動作を行う移動通信端末において、
前記セルリセレクション動作を実施するか否かを決定する実施基準が満たされた場合に、該セルリセレクション動作を実施する制御手段と、
特定のセル間でセルリセレクション動作が繰り返し実行されていることを判定する第１の判定手段と、
前記第１の判定手段により特定のセル間で前記セルリセレクション動作が繰り返し実行されていると判定された場合に、前記実施基準を第１の実施基準に変更する第１の変更手段と、
異なる呼び出しエリア間を跨ぐセルリセレクション動作が繰り返し実行されていることを判定する第２の判定手段と、
前記第２の判定手段により異なる呼び出しエリア間を跨ぐセルリセレクション動作が繰り返し実行されていると判定された場合に、前記実施基準を前記第１の実施基準より厳しい第２の実施基準に変更する第２の変更手段と、
を備える移動通信端末。
【請求項２】
前記移動通信端末が静止している状態を検知する静止状態検知手段と、
前記静止状態検知手段により前記移動通信端末の静止状態が検知された場合に、前記実施基準を第３の実施基準に変更する第３の変更手段と、
をさらに備える請求項１に記載の移動通信端末。
【請求項３】
在圏セルを再選択するセルリセレクション動作を行う移動通信端末のセル再選択方法において、
前記セルリセレクション動作を実施するか否かを決定する実施基準が満たされた場合に、該セルリセレクション動作を実施する実施ステップと、
特定のセル間でセルリセレクション動作が繰り返し実行されていることを判定する第１の判定ステップと、
前記第１の判定ステップにおいて特定のセル間でセルリセレクション動作が繰り返し実行されていると判定された場合に、前記実施基準を第１の実施基準に変更する第１の変更ステップと、
異なる呼び出しエリアを跨ぐセルリセレクション動作が繰り返し実行されていることを判定する第２の判定ステップと、
前記第２の判定ステップにおいて異なる呼び出しエリアを跨ぐセルリセレクション動作が繰り返し実行されていると判定された場合に、前記実施基準を前記第１の実施基準より厳しい第２の実施基準に変更する第２の変更ステップと、
を含む移動通信端末のセル再選択方法。
【請求項４】
前記移動通信端末が静止している状態を検知する静止状態検知ステップと、
前記静止状態検知ステップにおいて前記移動通信端末の静止状態が検知された場合に、前記実施基準を第３の実施基準に変更する第３の変更ステップと、
をさらに含む、請求項３に記載の移動通信端末のセル再選択方法。
【発明の詳細な説明】
【技術分野】
【０００１】
本発明は、移動通信端末および移動通信端末のセル再選択方法に関する。
【背景技術】
【０００２】
従来、携帯電話を始めとする移動通信端末は、その一部が重なり合うように形成された複数のセルの中から通信品質の高いセルを選択し、この選択したセルとの間で無線信号を送受信することにより通信を行う。例えば、２種類の隣接するセルＡおよびセルＢに関して、移動通信端末がセルＡの配下に在圏しており、さらに移動通信端末がセルＡに隣接するセルＢの通信品質を測定（モニター）している状態を取り上げる。この状態において、セルＡをアクティブセルまたは在圏セルと呼び、セルＢをモニターセルまたは隣接セルと呼ぶ。アクティブセルＡおよびモニターセルＢの共通パイロットチャネルの電界強度（ＣＰＩＣＨ−ＲＳＣＰ）や共通パイロットチャネルの受信品質（ＣＰＩＣＨ−Ｅｃ／Ｎ０）などに基づいて、アクティブセルＡおよびモニターセルＢの受信品質が測定される。そして、アクティブセルＡよりもモニターセルＢの受信品質が良くなった場合に、アクティブセルがセルＡからセルＢに変更される。この一連の動作をセルリセレクション動作と呼ぶ。
【０００３】
図６に、移動通信端末により測定される２つのセル（セルＡ及びセルＢ）における時間に応じた電波の受信品質のグラフの例を示す。図６に示すように、受信品質が最良となるセルが入れ替わるタイミング(図６の符号６１で示される時点)で、セルリセレクション動作が発生する。なお、モニターセルの通信品質が、アクティブセルのものよりもどれほど良くなったときにセルリセレクション動作が実施されるかは、セルの報知情報に含まれるセルリセレクションパラメータ（Ｑ−ｈｙｓｔ、Ｔ−ｒｅｓｅｌｅｃｔｉｏｎ等）の値に依存する。「報知情報」とは、移動通信端末に対して各種パラメータを通知するために、ネットワークから常時送出されている情報である。例えば、「セルＢの受信品質−セルＡの受信品質≧ Ｑ−ｈｙｓｔ」となった状態が、Ｔ−ｒｅｓｅｌｅｃｔｉｏｎで設定された時間だけ継続する場合に、セルリセレクション動作が実施されることとなる。なお、セルリセレクション動作の各種パラメータに関する詳細は非特許文献１に記載されている。
【０００４】
また、セルリセレクション動作は、通信ステータスによって異なる。
【０００５】
ＩＤＬＥ状態およびＣｅｌｌ−ＰＣＨ状態（ＲＲＣ状態の説明については、非特許文献２に記載されている）の場合、アクティブセルＡからモニターセルＢに移行する際に、移行しようとするセルＢの報知情報を取得し、そのセルＢが規制状態でないことが確認でき在圏を許されるセルであると判断できた場合に、セルBに移行して在圏する。また、報知情報に基づき呼出しエリアを跨いだことが判明した場合は、位置登録要求（ＲｏｕｔｉｎｇＡｒｅａ Ｕｐｄａｔｅ手順もしくはＬｏｃａｔｉｏｎＵｐｄａｔｅ手順。詳細は非特許文献３に記載されている）を移行先セルで実施し、ネットワーク側に自らの呼出しエリアが変更になったことを通知する。
【０００６】
Ｃｅｌｌ−ＦＡＣＨ状態の場合、アクティブセルＡからモニターセルＢに移行する際に、移行しようとするセルＢの報知情報を取得した後、ＣｅｌｌＵｐｄａｔｅ手順を踏み、ネットワーク側へリセレクションしたことを報告する。また、呼出しエリアを跨いだことが判明した場合は、位置登録要求を移行先セルＢで実施し、ネットワーク側に自らの呼出しエリアが変更になったことを通知する。
【０００７】
ところで、例えばセル境界付近では、フェージング等により移動通信端末が受信している電界強度（ＣＰＩＣＨ−ＲＳＣＰ）、受信品質（ＣＰＩＣＨ−Ｅｃ／Ｎ０）等が周期的またはバースト的に変動する。これにより、受信品質が実質的に大差ない複数のセル間でリセレクション動作が過度に繰り返される状態、いわゆるバタツキが発生することがある。バタツキが生じると、本来の静止状態にある場合に比べ、消費電力量が大幅に増加する等の不利な状況が発生することがある。
【０００８】
このような事情に鑑み、不要なセルリセレクション動作を抑制してバタツキを抑制する技術が特許文献１に記載されている。特許文献１では、セルを自局セル（アクティブセル）とする回数をカウントしてバタツキが発生したかどうかを判定する。バタツキが発生したと判定した場合、セル再選択条件を補正して該条件を成立し難くさせることにより、不要なセルリセレクション動作を抑制している。
【特許文献１】特開２００６−１５７２１７号公報
【非特許文献１】３ＧＰＰ ＴＳ２５．３０４  ５．２章
【非特許文献２】３ＧＰＰ ＴＳ２４．３３１  第６章  Ｆｉｇ．５
【非特許文献３】３ＧＰＰ ＴＳ２４．００８
【発明の開示】
【発明が解決しようとする課題】
【０００９】
しかしながら、特許文献１のような従来技術では、単に、隣接するセル間の不要なセルリセレクション動作を抑制するのみであり、呼び出しエリア間を跨ぐセル間のリセレクション動作を特定して、特別な措置を取ることができないという問題があった。
【００１０】
呼び出しエリア間を跨ぐセル間のリセレクション動作は、同一の呼び出しエリア内のセルリセレクションを繰り返す場合に比べて動作量が多いため、消費電力量が大幅に増加してしまうという問題がある。さらに、呼び出しエリアを移動した旨をネットワークに報告している間は、ネットワーク側の処理として、移動通信端末の在圏情報をノード間でやりとりしている状態となり、移動先に移動通信端末が在圏している、という情報を反映できていない状態となるため、当該移動通信端末に対して呼び出し不能な状態に陥ってしまうことが頻繁に発生してしまうという問題がある。したがって、バタツキを抑制する技術において、呼び出しエリアを跨ぐリセレクションに対して動作を抑制できることが望ましい。
【００１１】
そこで本発明は、上記問題点を解決し、従来技術よりも好適に不要なセルリセレクション動作を抑制し、特に異なる呼び出しエリア間を跨ぐ不要なセルリセレクション動作を抑制することができる移動通信端末およびセル移行方法を提供することを目的とする。
【課題を解決するための手段】
【００１２】
上記課題を解決するために、本発明の移動通信端末は、在圏セルを再選択するセルリセレクション動作を行う移動通信端末において、前記セルリセレクション動作を実施するか否かを決定する実施基準が満たされた場合に、該セルリセレクション動作を実施する制御手段と、特定のセル間でセルリセレクション動作が繰り返し実行されていることを判定する第１の判定手段と、前記第１の判定手段により特定のセル間で前記セルリセレクション動作が繰り返し実行されていると判定された場合に、前記実施基準を第１の実施基準に変更する第１の変更手段と、異なる呼び出しエリア間を跨ぐセルリセレクション動作が繰り返し実行されていることを判定する第２の判定手段と、前記第２の判定手段により異なる呼び出しエリア間を跨ぐセルリセレクション動作が繰り返し実行されていると判定された場合に、前記実施基準を前記第１の実施基準より厳しい第２の実施基準に変更する第２の変更手段と、を備えたことを特徴としている。
【００１３】
また、上記課題を解決するために、本発明のセル再選択方法は、在圏セルを再選択するセルリセレクション動作を行う移動通信端末のセル再選択方法において、前記セルリセレクション動作を実施するか否かを決定する実施基準が満たされた場合に、該リセレクション動作を実施する実施ステップと、特定のセル間でセルリセレクション動作が繰り返し実行されていることを判定する第１の判定ステップと、前記第１の判定ステップにおいて特定のセル間でセルリセレクション動作が繰り返し実行されていると判定された場合に、前記実施基準を第１の実施基準に変更する第１の変更ステップと、異なる呼び出しエリアを跨ぐセルリセレクション動作が繰り返し実行されていることを判定する第２の判定ステップと、前記第２の判定ステップにおいて異なる呼び出しエリアを跨ぐセルリセレクション動作が繰り返し実行されていると判定された場合に、前記実施基準を前記第１の実施基準より厳しい第２の実施基準に変更する第２の変更ステップと、を含むことを特徴としている。
【００１４】
これらの構成により、特定のセル間でセルリセレクション動作が繰り返し実行されている場合には、セルリセレクション動作を実施するか否かを決定する実施基準を第１の実施基準に変更することにより、通常時よりセルリセレクション動作が実施されにくくなる。また、異なる呼び出しエリア間を跨ぐセルリセレクション動作が繰り返し実行されている場合には、実施基準を第２の実施基準に変更することにより、第１の実施基準よりさらにセルリセレクション動作が実施されにくくなる。これにより、異なる呼び出しエリア間を跨ぐセルリセレクション動作の過度の発生を好適に抑制することができる。この結果、当該移動通信端末に対して呼び出し不能な状態を減少させて着信成功率を向上させることができる。また、当該移動通信端末が呼び出しエリアを移動した旨をネットワークに報告する頻度を減らすことができるので、不要なセルリセレクション動作に伴う電力消費を抑えることができる。
【００１５】
また、本発明の移動通信端末は、前記移動通信端末が静止している状態を検知する静止状態検知手段と、前記静止状態検知手段により前記移動通信端末の静止状態が検知された場合に、前記実施基準を第３の実施基準に変更する第３の変更手段と、をさらに備えることが好適である。
【００１６】
同様に、本発明のセル再選択方法は、前記移動通信端末が静止している状態を検知する静止状態検知ステップと、前記静止状態検知ステップにおいて前記移動通信端末の静止状態が検知された場合に、前記実施基準を第３の実施基準に変更する第３の変更ステップと、をさらに含むことが好適である。
【００１７】
これらの構成により、移動通信端末が静止状態の場合には、セルリセレクション動作を実施するか否かを決定する実施基準を第３の実施基準に変更することにより、通常時よりセルリセレクション動作が実施されにくくなる。これにより、セルリセレクション動作を実施する必要のない移動通信端末の静止状態を認識して、セルリセレクション動作の発生を抑制できるので、不要なバタツキを回避して電力消費を抑えることができる。
【発明の効果】
【００１８】
本発明の移動通信端末およびセル移行方法によると、異なる呼び出しエリア間を跨ぐセルリセレクション動作の過度の発生を好適に抑制することができる。この結果、当該移動通信端末に対して呼び出し不能な状態を減少させて着信成功率を向上させることができる。また、当該移動通信端末が呼び出しエリアを移動した旨をネットワークに報告する頻度を減らすことができるので、不要なセルリセレクション動作に伴う電力消費を抑えることができる。
【発明を実施するための最良の形態】
【００１９】
以下、図面を参照して本発明に係る移動通信端末の好適な実施形態について説明する。なお、可能な場合には、図面の説明においては同一要素には同一符号を付し、重複する説明を省略する。
【００２０】
まず、図１〜図３を参照して、本発明の第１の実施形態について説明する。図１に、本実施形態に係る移動通信端末の機能的構成を示す。
【００２１】
移動通信端末１０は、移動体通信網を利用して他の端末やサーバに対して情報を送受信する。移動体通信網は、複数の呼び出しエリアから構成され、呼び出しエリアのそれぞれは、その一部が重なりあうように形成された複数のセルから構成される。各セルには基地局が配置されており、移動通信端末は、自らが在圏しているアクティブセルの基地局を介して情報の送受信を行う。移動通信端末は、さらに、アクティブセルおよびこのアクティブセルに隣接するモニターセルの基地局から当該セルの報知情報を定期的に受け取る。報知情報は、セルを特定する情報であるセルＩＤ、セルが属する呼び出しエリアを特定する情報である呼び出しエリア番号、位置情報、事業者コード、共通チャネル情報、周辺セル情報、セルリセレクションパラメータなどから構成される。本実施形態において、移動通信端末１０は、基地局から報知情報等を含む無線信号を受け取り、この際の受信品質に基づいて、必要に応じてアクティブセルを再選択する。
【００２２】
移動通信端末１０は、機能的には、図１に示すように、無線品質測定部１１、リセレクション動作制御部（制御手段、第１の変更手段、第２の変更手段）１２、リセレクション動作記憶部１３、判定部（第１の判定手段、第２の判定手段）１４、および実施基準記憶部１５を含むように構成される。
【００２３】
無線品質測定部１１は、アクティブセルおよびモニターセルの基地局から受信した無線信号の受信品質を測定する。無線品質測定部１１は、例えば、受信電界強度（ＣＰＩＣＨ−ＲＳＣＰ）や受信品質（ＣＰＩＣＨ−Ｅｃ／Ｎ０）をアクティブセルとモニターセルのそれぞれについて測定する。
【００２４】
リセレクション動作制御部１２は、セルリセレクション動作を実施するか否かを決定する実施基準が満たされた場合に、セルリセレクション動作を実施する。リセレクション動作制御部１２は、無線品質測定部１１で測定したアクティブセルおよびモニターセルの受信品質に基づいて、セルリセレクション動作を実施するか否かを判定し、アクティブセルおよびモニターセルの受信品質が所定のセルリセレクション動作の実施基準を満たすときに、セルリセレクションを実施する。セルリセレクション動作の実施基準は、過去のセルリセレクション動作の履歴などに応じて、予め設定されている複数の基準の中から選択される。本実施形態では、ノーマル基準、実施基準Ａ（第１の実施基準）および実施基準Ｂ（第２の実施基準）の３種類が予め設定されている。実施基準は、例えば、過去のセルリセレクション動作の履歴に基づく判定部１４の判定結果に従って選択される。選択された実施基準は、実施基準記憶部１５に記憶される。
【００２５】
ここで、本実施形態で設定されている実施基準（ノーマル基準、実施基準Ａ、実施基準Ｂ）について説明する。ノーマル基準は、モニターセルの受信品質がアクティブセルのものよりＱ−ｈｙｓｔ（ｄＢ）分高い状態がＴ−ｒｅｓｅｌｅｃｔｉｏｎ（秒）間続いた場合に、セルリセレクション動作を実施する（一般的に、モニターセルの受信品質がアクティブセルより２（ｄＢ）程度高い状態が３秒間続いた場合にリセレクション動作を実施するような設定が多い）。なお、Ｑ−ｈｙｓｔおよびＴ−ｒｅｓｅｌｅｃｔｉｏｎは、報知情報に含まれるセルリセレクションパラメータである。
【００２６】
これに対し、実施基準Ａは、モニターセルの受信品質がアクティブセルよりＱ−ｈｙｓｔ×２（ｄＢ）分高い状態がＴ−ｒｅｓｅｌｅｃｔｉｏｎ×２（秒）間続いた場合に、セルリセレクション動作を実施する。例えば、アクティブセルに対してモニターセルの受信品質が４ｄＢ高い状態が６秒間継続した場合にセルリセレクションを実施するような設定となる。この設定例では、実施基準Ａは、動作実施のために要求するアクティブセルとモニターセルとの間の受信品質の偏差、およびその偏差の持続時間が、それぞれノーマル基準の場合の２倍となるので、ノーマル基準よりセルリセレクション動作が実施されにくくなる。
【００２７】
また、実施基準Ａは、アクティブセルおよびモニターセルの受信品質または電界強度をＸ秒間（数秒から数十秒程度）測定し、モニターセルの受信品質または電界強度の平均値がアクティブセルに対してＱ−ｈｙｓｔ（ｄＢ）分高かった場合に、セルリセレクション動作を実施するようにしても良い。この場合、例えば、１０秒間アクティブセルであるセルＡとモニターセルであるセルＢの受信品質を測定し、測定した受信品質の平均値が２（ｄＢ）分以上セルＢの方が高い場合に、セルＢに対してセルリセレクションを実施する、という動作となる。
【００２８】
一方、実施基準Ｂは、モニターセルの受信品質がアクティブセルよりＱ−ｈｙｓｔ×２（ｄＢ）分高い状態が、Ｔ−ｒｅｓｅｌｅｃｔｉｏｎ×３（秒）間続いた場合、またはモニターセルの受信品質がアクティブセルよりＱ−ｈｙｓｔ×３（ｄＢ）分高い状態がＴ−ｒｅｓｅｌｅｃｔｉｏｎ（秒）間続いた場合に、セルリセレクション動作を実施する。例えば、アクティブセルに対してモニターセルの受信品質が４（ｄＢ）高い状態が９秒間継続した場合、または６（ｄＢ）高い状態が３秒間続いた場合にセルリセレクションを実施するような設定となる。この設定例では、実施基準Ｂは、動作実施のために要求するアクティブセルとモニターセルとの間の受信品質の偏差、およびその偏差の持続時間の少なくとも一つが、実施基準Ａの場合よりも厳しいので、実施基準Ａよりセルリセレクション動作が実施されにくくなる。
【００２９】
また、実施基準Ｂは、アクティブセルおよびモニターセルの受信品質または電界強度をＸ×２秒間測定し、モニターセルの受信品質または電界強度の平均値がアクティブセルに対してＱ−ｈｙｓｔ（ｄＢ）分高かった場合、またはアクティブセルおよびモニターセルの受信品質または電界強度をＸ秒間測定し、モニターセルの受信品質または電界強度の平均値がアクティブセルに対してＱ−ｈｙｓｔ×２（ｄＢ）分高かった場合に、セルリセレクション動作を実施するようにしても良い。この場合、例えば、２０秒間アクティブセルであるセルＡとモニターセルであるセルＢの受信品質を測定し、その平均値が２（ｄＢ）以上セルＢの方が高い場合、または１０秒間アクティブセルであるセルＡとモニターセルであるセルＢの受信品質を測定し、その平均値が４（ｄＢ）以上セルＢの方が高い場合に、セルＢに対してセルリセレクションを実施する、という動作となる。
【００３０】
リセレクション動作記憶部１３は、過去全てのまたは一定時間内におけるセルリセレクション動作を実施した際の情報を記憶する。リセレクション動作記憶部１３は、過去のセルリセレクション動作のそれぞれについて、例えば、セルリセレクション動作前後のアクティブセルのセルＩＤ、セルリセレクション動作の実施時刻、セルリセレクション動作前後のアクティブセルの呼出しエリア番号、などを記憶している。これらの情報は、セルリセレクション動作前後のアクティブセルの報知情報から抽出される。
【００３１】
判定部１４は、特定のセル間でセルリセレクション動作が繰り返し実行されていること（以下「バタツキ」という）を判定する。判定部１４は、ある一定時間内に特定の複数セル間でセルリセレクション動作が所定回数実施された場合、または、ある一定回数のセルリセレクション動作のうち特定の複数セル間でセルリセレクション動作が所定回数実施された場合に、バタツキが発生したと判定する。例えば、判定部１４は２分間に３回以上、セルＡ、セルＢ間のリセレクションを繰り返した場合、または３回のリセレクションのうち、３回、セルＡとセルＢ間のリセレクションが実施された場合に、バタツキ判定を行う。具体的には、判定部１４は、リセレクション動作記憶部１３を参照して、過去のセルリセレクション動作のそれぞれについて、動作前後のアクティブセルのセルＩＤの情報を取得し、この情報に基づいてバタツキ判定を行う。
【００３２】
さらに、判定部１４は、異なる呼び出しエリア間を跨ぐセルリセレクション動作が繰り返し実行されていること（以下「エリア間バタツキ」という）を判定する。判定部１４は、ある一定時間内に呼出しエリアの変更を伴うセルリセレクション動作が所定回数実施された場合に、エリア間バタツキが発生したと判定する。例えば、判定部１４は、２分間に２回以上呼び出しエリアを跨ぐセルリセレクションを実施した場合にエリア間バタツキ判定を行う。具体的には、判定部１４は、リセレクション動作記憶部１３を参照して、過去のセルリセレクション動作のそれぞれについて、動作前後のアクティブセルの呼出しエリア番号の情報を取得し、この情報に基づいてエリア間バタツキ判定を行う。
【００３３】
また、判定部１４は、現在の実施基準が実施基準ＡまたはＢであるとき、実施基準をノーマル基準へ移行するか否かを判定する。例えば、任意のセル間でバタツキ等が発生した状態の後に、当該セルとは異なるセル間でバタツキ等が発生した状態を考えると、これらの状態の間には、ほとんどの場合、移動通信端末１０が移動状態にあるようなバタツキ等が生じない状態が起こりうる。したがって、現在の実施基準が実施基準ＡまたはＢの場合には、一旦実施基準をノーマル基準に戻して、自機の状態に応じて適切な実施基準にすることが望ましい。
【００３４】
ノーマル基準への移行条件は、例えば、過去の所定回数または所定時間のセルリセレクション動作の履歴において、アクティブセルに指定されたことがないセルへの移行が発生した場合が挙げられる。または、上記条件は、移行先セルの受信レベル（ＣＰＩＣＨ−ＲＳＣＰ）または受信品質（ＣＰＩＣＨ−Ｅｃ／Ｎ０）が、移行元セルに比べて、所定量上回ったか、または所定量上回った状態が所定時間継続した場合などでも良い。例えば、過去５分間に発生したセルリセレクション動作または過去４回のセルリセレクション動作に関わっていないセルに対してリセレクション動作が実施された場合には、移動通信端末１０が移動したことによって新規のアクティブセルが見つかったと判断し、セルリセレクション動作の実施基準をノーマル基準に移行すると判定する。
【００３５】
ここで、リセレクション動作制御部１３は、判定部１４の判定結果に基づき、必要に応じて実施基準を変更する。具体的には、リセレクション動作制御部１３は、現在の実施基準がノーマル基準の場合には、バタツキ発生時にはノーマル基準より厳しい実施基準Ａに実施基準を変更し、エリア間バタツキ発生時には、実施基準Ａより厳しい実施基準Ｂに実施基準を変更する。一方、現在の実施基準が実施基準ＡまたはＢの場合には、リセレクション動作制御部１３は、所定のノーマル基準への移行条件を満たした場合に、実施基準をノーマル基準に変更する。
【００３６】
実施基準記憶部１５は、判定部１４の判定結果に応じてリセレクション動作制御部１２が選択したセルリセレクション動作の実施基準を記憶する。
【００３７】
図２に、移動通信端末１０のハードウェア構成を示す。図２に示すように、移動通信端末１０は、ＣＰＵ１０１、ＲＡＭ１０２、ＲＯＭ１０３、操作部１０４、無線通信部１０５、ディスプレイ１０６及びアンテナ１０７等のハードウェアにより構成されている。図１において説明した各機能は、図２に示すＣＰＵ１０１、ＲＡＭ１０２等のハードウェア上に所定のコンピュータソフトウェアを読み込ませることにより、ＣＰＵ１０１の制御のもとで操作部１０４、無線通信部１０５、ディスプレイ１０６を動作させるとともに、ＲＡＭ１０２やＲＯＭ１０３におけるデータの読み出し及び書き込みを行うことで実現される。
【００３８】
続いて、図３のフローチャートを用いて、本実施形態の移動通信端末１０におけるセル再選択処理について説明する。この処理は、移動通信端末１０の電源投入中に繰り返し実行される。
【００３９】
まず、リセレクション動作制御部１２が、報知情報に含まれるセルリセレクションパラメータ（Ｑ−ｈｙｓｔ、Ｔ−ｒｅｓｅｌｅｃｔｉｏｎ）と、実施基準記憶部１５に記憶されているセルリセレクション動作の実施基準の種別（ノーマル基準、実施基準Ａ、実施基準Ｂ）とに基づいて、セルリセレクション動作の実施基準を設定する（Ｓ１０１）。具体的には、たとえば、報知情報に含まれるセルリセレクションパラメータの数値データを現在の実施基準の当該パラメータに代入することにより、実施基準を設定する。
【００４０】
続いて、無線品質測定部１１がアクティブセルおよびモニターセルの無線品質を測定し（Ｓ１０２）、その測定結果をリセレクション動作制御部１２に報告する。リセレクション動作制御部１２は、無線品質測定部１１からの測定結果と、セルリセレクション動作の実施基準とを照合して、セルリセレクション動作の実施基準を満たしているか否かを判定する（Ｓ１０３）。セルリセレクション動作の実施基準を満たしている場合（例えば、アクティブセルＡに対してモニターセルＢの受信品質（ＣＰＩＣＨ−Ｅｃ／Ｎ０）が２ｄＢ良好である状態が３秒間継続した場合）には、ステップＳ１０４に移行する。実施基準を満たさなかった場合には、セルリセレクション動作を行わずに処理を終了する。
【００４１】
ステップＳ１０３において、セルリセレクション動作を実施すると判定されると、リセレクション動作制御部１２が、セルリセレクション動作を実施する（実施ステップ：Ｓ１０４）。またこの際に、リセレクション動作制御部１２は、実施したセルリセレクション動作に関する情報（動作前後のアクティブセルのセルＩＤおよび呼び出しエリア番号など）をリセレクション動作記憶部１３に通知し、時刻と共に記憶させる。
【００４２】
続いて、判定部１４は、現在のセルリセレクション実施基準が、ノーマル基準（本機能を搭載する以前から設定されていた従来の技術を用いた設定基準）に設定されているか、実施基準ＡまたはＢ（リセレクション抑止のための新基準）に設定されているかをチェックする（Ｓ１０５）。現在の実施基準がノーマル基準の場合、ステップＳ１０６に移行する。現在の実施基準が実施基準ＡまたはＢの場合、ステップＳ１１０に移行する。
【００４３】
ステップＳ１０５において現在の実施基準がノーマル基準であるとき、引き続き判定部１４は、特定のセル間でセルリセレクション動作が繰り返し実行されているか否かを判定する（バタツキ判定）（第１の判定ステップ：Ｓ１０６）。バタツキが発生していると判定されると、ステップＳ１０７に移行する。バタツキが発生していないと判定されると、現在の実施基準であるノーマル基準のまま処理を終了する。
【００４４】
ステップＳ１０６においてバタツキが発生していると判定されると、引き続き判定部１４は、異なる呼び出しエリア間を跨ぐセルリセレクション動作が繰り返し実行されているか否かを判定する（エリア間バタツキ判定）（第２の判定ステップ：Ｓ１０７）。エリア間バタツキが発生していないと判定されると、判定部１４がその判定結果をリセレクション動作制御部１２に通知し、リセレクション動作制御部１２が実施基準をノーマル基準から実施基準Ａに変更する（第１の変更ステップ：Ｓ１０８）。エリア間バタツキが発生していると判定されると、判定部１４がその判定結果をリセレクション動作制御部１２に通知し、リセレクション動作制御部１２が実施基準をノーマル基準から実施基準Ｂに変更する（第２の変更ステップ：Ｓ１０９）。
【００４５】
ステップＳ１０５において現在の実施基準が実施基準ＡまたはＢであるとき、判定部１４は、実施基準をノーマル基準へ移行するか否かを判定する（Ｓ１１０）。実施基準をノーマル基準へ移行すると判定された場合には、実施基準がノーマル基準に変更される（Ｓ１１１）。実施基準をノーマル基準へ移行しないと判定された場合には、現在の実施基準である実施基準ＡまたはＢのまま処理を終了する。
【００４６】
ステップＳ１０８、Ｓ１０９、Ｓ１１１において、それぞれ実施基準がノーマル基準、実施基準Ａまたは実施基準Ｂに変更されると、実施基準記憶部１５に記憶されている最新の実施基準が更新される（Ｓ１１２）。実施基準記憶部１５に記憶された実施基準は、移動通信端末１０がこのフローチャートの処理を次に実行する際に、ステップＳ１０１の処理に利用される。
【００４７】
図３に示したセル再選択処理では、移動通信端末１０は、現在の実施基準がノーマル基準の場合には、バタツキ発生時にはノーマル基準より厳しい実施基準Ａに実施基準を変更し、エリア間バタツキ発生時には、実施基準Ａより厳しい実施基準Ｂに実施基準を変更する。一方、現在の実施基準が実施基準ＡまたはＢの場合には、移動通信端末１０は、所定のノーマル基準への移行条件を満たした場合に実施基準をノーマル基準に変更する。バタツキ等がないときには実施基準を緩和して、適切なセルに移行しやすくするのが望ましいからである。
【００４８】
以上説明したように、第１の実施形態における移動通信端末１０によれば、判定部１４が特定のセル間でセルリセレクション動作が繰り返し実行されている（バタツキ）と判定すると、リセレクション動作制御部１２が実施基準をノーマル基準から実施基準Ａに変更することにより、ノーマル基準の場合よりセルリセレクション動作が実施されにくくなる。また、判定部１４が異なる呼び出しエリア間を跨ぐセルリセレクション動作が繰り返し実行されている（エリア間バタツキ）と判定すると、リセレクション動作制御部１２が実施基準をノーマル基準から実施基準Ｂに変更することにより、実施基準Ａよりさらにセルリセレクション動作が実施されにくくなる。これにより、特にエリア間バタツキの過度の発生を好適に抑制することができる。この結果、当該移動通信端末１０に対して呼び出し不能な状態を減少させて着信成功率を向上させることができる。また、当該移動通信端末１０が呼び出しエリアを移動した旨をネットワークに報告する頻度を減らすことができるので、不要なセルリセレクション動作に伴う電力消費を抑えることができる。
【００４９】
次に、図４および図５を参照して、本発明の第２の実施形態について説明する。図４に、第２の実施形態における移動通信端末２０の機能的構成を示す。移動通信端末２０の構成は、第１の実施形態において詳述した移動通信端末１０の構成と類似するので、共通する構成要素には同列の符号（末尾の数字が同一の符号）を付しその説明を省略すると共に、第１の実施形態との差異について詳述する。
【００５０】
移動通信端末２０は、無線品質測定部２１、リセレクション動作制御部（第３の変更手段）２２、リセレクション動作記憶部２３、判定部２４、および実施基準記憶部２５に加えて、センサ部２６および静止状態検知部（静止状態検知手段）２７を備える。
【００５１】
センサ部２６は、たとえば、ＧＰＳセンサ、加速度センサ、振動センサ、速度センサ、または画像センサなど複数のセンサを含み、各センサの機能を用いて取得した情報を静止状態検知部２７に定期的に送信する。ＧＰＳセンサは、緯度・経度等のＧＰＳデータを取得する。加速度センサは、携帯端末の加速度を取得する。振動センサは、携帯端末の振動情報を取得する。速度センサは、携帯端末の移動速度を取得する。画像センサは、カメラ画像から携帯端末の位置変動量を取得する。
【００５２】
静止状態検知部２７は、センサ部２６から定期的に受信する情報に基づいて、移動通信端末２０が完全に静止またはほぼ静止している状態（静止状態）にあるかどうかを判定する。静止状態の判定基準としては、たとえば、ＧＰＳセンサで計測された緯度・経度がセルリセレクション実施前と実施後で同一であるか、または、加速度センサで検出された加速度が０であるか、等が挙げられる。
【００５３】
リセレクション動作制御部２２は、セルリセレクション動作の実施基準として、第1の実施形態のノーマル基準、実施基準Ａ、実施基準Ｂに加えて、さらに実施基準Ｃを設定することができる。セルリセレクション動作は、基本的には移動通信端末が移動している場合を想定しており、移動状態にある場合に、常に品質の良いセルに在圏可能となるようにする動作であるので、静止状態において、移動通信端末が不要なセルリセレクション動作を発生させてバタツキ等を生じることがある。そこで、本実施形態では、静止状態が検出されたときに、セルリセレクション動作の実施基準を変更する。
【００５４】
具体的には、リセレクション動作制御部２２は、静止状態検知部２７により静止状態と判定された場合には、実施基準を実施基準Ｃ（第３の実施基準）に変更する。また、静止状態と判定され、かつバタツキが発生していると判定された場合には、実施基準を実施基準Ａ（第1かつ第３の実施基準）に変更する。静止状態と判定され、かつエリア間バタツキが発生していると判定された場合には、実施基準を実施基準Ｂ（第２かつ第３の実施基準）に変更する。
【００５５】
実施基準Ｃは、ノーマル基準と同様にモニターセルの受信品質がアクティブセルのものよりＱ−ｈｙｓｔ（ｄＢ）分高い状態がＴ−ｒｅｓｅｌｅｃｔｉｏｎ（秒）間続き、かつ、静止状態検知部２７により移動通信端末２０が静止状態ではないと判定された場合に、セルリセレクション動作を実施する。また、実施基準Ｃは、上述の実施基準Ａと同一としても良い。実施基準Ｃは、ノーマル基準より動作を実施するため基準が厳しいので、ノーマル基準よりもセルリセレクション動作が実施されにくくなる。
【００５６】
続いて、図５のフローチャートを用いて、本実施形態の移動通信端末２０におけるセル再選択処理について説明する。なお、本動作は、第１の実施形態において詳述した移動通信端末１０の動作（図３参照）と基本的に同様である。具体的には図５に示すステップＳ２０１〜Ｓ２０５、Ｓ２０７、Ｓ２０９〜Ｓ２１４の各処理は、図３に示したステップＳ１０１〜Ｓ１１２の各処理にそれぞれ相当する。以下、本実施形態に特有の処理Ｓ２０６〜Ｓ２０８について説明する。
【００５７】
ステップＳ２０６において、静止状態検知部２７は、センサ部２６で取得された各種情報に基づいて、移動通信端末２０が静止している状態であるか否かを判定する（静止状態検知ステップ）。静止状態ではないと判定された場合には、移動通信端末２０が移動中と判断して現在のノーマル基準のまま処理を終了する。静止状態と判定された場合には、ステップＳ２０７に移行する。
【００５８】
ステップＳ２０７において、判定部２４は、バタツキが発生しているか否かを判定する。この判定は、第１の実施形態のステップＳ１０６（図３参照）と同じである。バタツキが発生していると判定されると、ステップＳ２０９に移行する。バタツキが発生していないと判定されると、ステップＳ２０８に移行して、リセレクション動作制御部２２が実施基準をノーマル基準から実施基準Ｃに変更する（第３の変更ステップ）。
【００５９】
ステップＳ２０５において現在の実施基準が実施基準Ａ〜Ｃのいずれかであるとき、静止状態検知部２７または判定部２４は、実施基準をノーマル基準へ移行するか否かを判定する（Ｓ１１０）。実施基準Ｃからノーマル基準への移行条件は、静止状態検知部２７により静止状態でないと判断された場合（例えば、ＧＰＳセンサの出力によりリセレクション前とリセレクション後の緯度・経度が異なる場合、速度センサにより、時速０．５ｋｍ以上を感知した場合等）や、図３のステップＳ１１０で説明したように、実施基準Ａからノーマル基準への移行条件を満たす場合、等が挙げられる。
【００６０】
図５に示したセル再選択処理では、移動通信端末２０は、現在の実施基準がノーマル基準の場合には、バタツキ発生時にはノーマル基準より厳しい実施基準Ａに実施基準を変更し、エリア間バタツキ発生時には、実施基準Ａより厳しい実施基準Ｂに実施基準を変更する。静止状態時には、ノーマル基準に静止判定（ＳＳ０６）を加えた実施基準Ｃへ変更される。なお、実施基準Ｃは実施基準Ａと同一でも良い。一方、現在の実施基準が実施基準Ａ〜Ｃのいずれかの場合には、移動通信端末２０は、所定のノーマル基準への移行条件を満たした場合に実施基準をノーマル基準に変更する。バタツキ等がないときには実施基準を緩和して、適切なセルに移行しやすくするのが望ましいからである。
【００６１】
なお、図５に示したセル再選択処理では、移動通信端末２０が静止状態であると判定されると（Ｓ２０６）、実施基準を実施基準Ｃに変更したが、代替的に、静止状態と判定され（Ｓ２０６）、かつ、バタツキは発生していると判定されると（Ｓ２０７）、実施基準を実施基準Ｃに変更するように構成しても良い。
【００６２】
以上説明したように、第２の実施形態における移動通信端末２０によれば、静止状態検知部２７が移動通信端末２０の静止状態を検知すると、セルリセレクション動作の実施基準を実施基準Ｃに変更することにより、ノーマル基準の場合よりセルリセレクション動作が実施されにくくなる。これにより、セルリセレクション動作を実施する必要のない移動通信端末の静止状態を認識して、セルリセレクション動作の発生を抑制できるので、不要なバタツキを回避して電力消費を抑えることができる。
【図面の簡単な説明】
【００６３】
【図１】本発明の第１の実施形態に係る移動通信端末の機能的構成を示すブロック図である。
【図２】移動通信端末のハードウェア構成を示す図である。
【図３】第１の実施形態の移動通信端末におけるセル再選択処理を示すフローチャートである。
【図４】第２の実施形態における移動通信端末の機能的構成を示すブロック図である。
【図５】第２の実施形態の移動通信端末におけるセル再選択処理を示すフローチャートである。
【図６】移動通信端末により測定される２つのセルにおける時間に応じた電波の受信品質のグラフの例を示す図である。
【符号の説明】
【００６４】
１０、２０…移動通信端末、１１、２１…無線品質測定部、１２、２２…リセレクション動作制御部、１３、２３…リセレクション動作記憶部、１４、２４…判定部、１５、２５…実施基準記憶部、２６…センサ部、２７…静止状態検知部。
【図１】
2009027459.tif 000003
【図２】
2009027459.tif 000004
【図３】
2009027459.tif 000005
【図４】
2009027459.tif 000006
【図５】
2009027459.tif 000007
【図６】
2009027459.tif 000008